(57)【要約】【課題】利用者の利便性の向上を図るとともに、改札通路における利用者の円滑な通行を阻害することがない改札システムを提供する。【解決手段】受付装置１は、利用者端末６からの定期券の申込要求を受け付け、定期期間の開始日に合わせて、定期区間内の駅の自動改札機２に識別番号の登録を通知する。自動改札機２は、記憶している識別番号であれば、定期券利用者であると判定し処理する。したがって、自動改札機２は、設置されている駅において、定期券が利用できる定期券利用者が所持する乗車券の識別番号を記憶するだけでよいので、多大なメモリを必要とせず、本体のコストアップが抑えられる。また、利用者が所持する乗車券に対して、この利用者から申し込まれた定期券情報を記録しないので、改札通路における利用者の円滑な通行を阻害することもない。【選択図】図１
2007179448.tif 000002
【特許請求の範囲】
【請求項１】
定期券の申込要求を受け付ける受付装置と、
各駅の改札口に設置された複数の自動改札機と、を有する改札システムであって、
前記受付装置は、乗車券媒体の識別番号、定期区間、および定期期間を含む定期券の申込要求を受け付ける申込要求受付手段と、
前記申込要求受付手段が受け付けた申込要求に応じた定期券情報を記憶する定期券情報記憶手段と、
前記定期券情報記憶手段が記憶する定期券情報毎に、乗車券媒体の識別番号の登録を、定期区間内の駅に設置されている前記自動改札機に通知する識別番号登録通知手段と、を備え、
前記自動改札機は、前記受付装置の前記識別番号登録通知手段により通知された乗車券媒体の識別番号を登録し、記憶する識別番号記憶手段と、
利用者が所持する乗車券媒体に記録されている識別番号を読み取る識別番号読取手段と、
前記識別番号読取手段が読み取った乗車券媒体の識別番号を、前記識別番号記憶手段に記憶していれば、この乗車券媒体を所持する利用者を定期券利用者であると判定する判定手段と、を備えた改札システム。
【請求項２】
前記受付装置は、前記定期券情報記憶手段が記憶する定期券情報毎に、乗車券媒体の識別番号の削除を、定期区間内の駅に設置されている前記自動改札機に通知する識別番号削除通知手段を備え、
前記自動改札機は、前記受付装置の前記識別番号削除通知手段により通知された乗車券媒体の識別番号を、前記識別番号記憶手段から削除する削除手段を備えた請求項１に記載の改札システム。
【請求項３】
乗車券媒体を受け付け、この乗車券媒体から取得した乗車券情報を用いて、駅構内から出場する利用者の運賃を精算する精算手段を備えた精算機を有し、
前記自動改札機は、駅構内に入場する利用者に対して改札処理を行う場合、前記判定手段が定期券利用者であると判定した利用者が所持する乗車券媒体に、定期券による入場であることを示す入場情報を記録する入場情報記録手段と、
駅構内から出場する利用者に対して改札処理を行う場合、前記判定手段が定期券利用者でないと判定した利用者であって、且つこの利用者が所持する乗車券媒体に定期券による入場であることを示す入場情報が記録されていれば、前記精算機での運賃の精算を促す案内を出力する案内手段と、を備えた請求項１または２に記載の改札システム。
【請求項４】
前記自動改札機の案内手段は、前記判定手段が定期券利用者であると判定した利用者であって、且つこの利用者が所持する乗車券媒体に定期券による入場であることを示す入場情報が記録されていなかった場合も、前記精算機での運賃の精算を促す案内を出力する手段である請求項３に記載の改札システム。
【請求項５】
前記精算機の精算手段は、受け付けた乗車券媒体の識別番号に該当する定期券情報を、前記受付装置から取得し、ここで取得した定期券情報を用いて、利用者の運賃を精算する手段である請求項３または４に記載の改札システム。
【請求項６】
前記乗車券媒体は、定期券として利用できる定期区間、および定期期間にかかる情報を記憶していない媒体である請求項１〜５のいずれかに記載の改札システム。
【請求項７】
乗車券媒体の識別番号、定期区間、および定期期間を含む定期券の申込要求を受け付ける申込要求受付手段と、
前記申込要求受付手段が受け付けた申込要求に応じた定期券情報を記憶する定期券情報記憶手段と、
前記定期券情報記憶手段が記憶する定期券情報毎に、乗車券媒体の識別番号の登録を、定期区間内の駅に設置されている前記自動改札機に通知する識別番号登録通知手段と、を備えた受付装置。
【請求項８】
駅の改札口に設置され、利用者に対する改札処理を行う自動改札機において、
定期券の申込要求を受け付ける受付装置から通知された乗車券媒体の識別番号を登録し、記憶する識別番号記憶手段と、
利用者が所持する乗車券媒体に記録されている識別番号を読み取る識別番号読取手段と、
前記識別番号読取手段が読み取った乗車券媒体の識別番号を、前記識別番号記憶手段に記憶していれば、この乗車券媒体を所持する利用者を定期券利用者であると判定する判定手段と、を備えた自動改札機。
【発明の詳細な説明】
【技術分野】
【０００１】
この発明は、利用者に対して改札処理を行う改札システム、および、この改札システムに適用される受付装置と、自動改札機に関する。
【背景技術】
【０００２】
従来、鉄道の駅の改札口には、改札通路（以下、単に通路と言う。）を通行して駅構内に入場、または駅構内から出場する利用者に対して改札処理を行う自動改札機が設置されている。自動改札機は、周知のように、利用者が所持するキップ、定期券、プリペイド券等の乗車券に記録されている乗車券情報を読み取り、読み取った乗車券情報に基づいて、当該利用者の駅構内への入場、または駅構内からの出場を許可するかどうかを判定する。自動改札機は、駅構内への入場、または駅構内からの出場を許可すると判定した利用者については通路の通行を許可し、反対に許可しないと判定した利用者については、通路の通行を禁止する。乗車券であるキップには、発行日時、発行駅、発行金額等が乗車券情報として記録されている。また、定期券には、定期区間、定期期間等を含む定期券情報が乗車券情報として記録されている。また、プリペイド券には、プリペイド残額を含むプリペイド情報が乗車券情報として記録されている。最近では、定期券とプリペイド券と、を合わせた乗車券（以下、複合券と言う。）もある。この複合券には、乗車券情報として、上述の定期券情報と、プリペイド情報と、が記録されている。乗車券には、乗車券情報を磁気データで記録した磁気券や、乗車券情報を電子データで記録する非接触券があり、その乗車券を識別する識別番号が記録されている。非接触券は、周知のように、自動改札機と無線で通信する無線通信機能を備えている。
【０００３】
また、利用者における定期券の更新にかかる手間を削減し、利便性の向上を図った改札システムが提案されている（特許文献１参照）。特許文献１に記載されているシステムでは、利用者が、携帯端末において、電鉄ホストサーバに対して定期券の更新にかかる入力を行う。電鉄ホストサーバは、入力された定期券の更新内容を示す情報（以下、定期券更新情報と言う。）を、各駅の自動改札機へ送信する。この定期券更新情報には、対象となる乗車券を識別する識別番号、定期区間、定期期間等の情報が含まれている。各自動改札機は、電鉄ホストサーバから送信されてきた定期券更新情報を乗車券毎に記憶し、記憶している定期券更新情報の対象となる乗車券を受け付けたときに、この乗車券に記録されている定期券情報を、記憶している定期券更新情報に基づいて更新する。
【特許文献１】特開２００１−２３６３８５号公報
【発明の開示】
【発明が解決しようとする課題】
【０００４】
しかしながら、特許文献１のシステムでは、定期券情報を更新する利用者毎（乗車券毎）に、更新内容である定期券更新情報を各駅の自動改札機に記憶させなければならない。上述したように、定期券更新情報には、対象となる乗車券を識別する識別番号、定期区間、定期期間等の情報が含まれている。このため、自動改札機は、定期券更新情報を記憶するために多大な記憶容量を必要とし、自動改札機のコストアップという問題がある。
【０００５】
また、自動改札機は、記憶している定期券更新情報の対象となる乗車券を受け付けたときに、この乗車券を所持している利用者に対する改札処理とともに、この乗車券に対する定期券情報の更新を行う。したがって、定期券更新情報の対象となる乗車券を所持している利用者に対する処理時間が長くなるので、通路における利用者の円滑な通行を阻害し、改札口を混雑させることが懸念される。特に、対象となる乗車券が非接触券である場合には、自動改札機は、非接触券が無線通信エリア内に位置している間に、すなわち利用者が非接触券を自動改札機の無線通信エリアにかざしている間に、通常の改札処理に加えて、定期券情報の更新にかかる処理も行わなければならない。自動改札機と乗車券との間で無線通信が行える時間は、通路における利用者の通行速度や、自動改札機の無線通信部に対する乗車券のかざし方等で決まる。このため、自動改札機と、非接触券との間における無線通信時間が不足し、その結果非接触券に対する定期券情報の更新が最後まで行えず、通路における利用者の通行を禁止するという事態が生じやすい。
【０００６】
この発明の目的は、利用者の利便性の向上を図るとともに、改札通路における利用者の円滑な通行を阻害することがない改札システムを提供することにある。
【０００７】
また、この発明は、上記改札システムに適用される受付装置、および自動改札機を提供することを目的とする。
【課題を解決するための手段】
【０００８】
この発明の改札システムは、上記課題を解決するために以下の構成を備えている。
【０００９】
（１）定期券の申込要求を受け付ける受付装置と、
各駅の改札口に設置された複数の自動改札機と、を有する改札システムであって、
前記受付装置は、乗車券媒体の識別番号、定期区間、および定期期間を含む定期券の申込要求を受け付ける申込要求受付手段と、
前記申込要求受付手段が受け付けた申込要求に応じた定期券情報を記憶する定期券情報記憶手段と、
前記定期券情報記憶手段が記憶する定期券情報毎に、乗車券媒体の識別番号の登録を、定期区間内の駅に設置されている前記自動改札機に通知する識別番号登録通知手段と、を備え、
前記自動改札機は、前記受付装置の前記識別番号登録通知手段により通知された乗車券媒体の識別番号を登録し、記憶する識別番号記憶手段と、
利用者が所持する乗車券媒体に記録されている識別番号を読み取る識別番号読取手段と、
前記識別番号読取手段が読み取った乗車券媒体の識別番号を、前記識別番号記憶手段に記憶していれば、この乗車券媒体を所持する利用者を定期券利用者であると判定する判定手段と、を備えている。
【００１０】
この構成では、受付装置の申込要求受付手段が定期券の申込要求を利用者から受け付ける。この定期券の申込要求には、乗車券媒体の識別番号、定期区間、定期期間が含まれている。受付装置は、例えばインタネットを利用して、利用者からの定期券の申込要求を受け付ける構成とすればよい。このようにすれば、利用者は、パソコンや携帯電話等の端末を操作して、受付装置にアクセスし、定期券の申込にかかる入力を行うだけでよいので、定期券の申込が簡単に行える。受付装置は、利用者から受け付けた定期券の申込要求を定期券情報として定期券情報記憶手段に記憶する。受付装置は、定期券情報記憶手段に記憶している定期券情報毎に、乗車券媒体の識別番号の登録を、定期区間内の駅に設置されている自動改札機にのみ通知し、定期区間外の駅に設置されている自動改札機については通知しない。
【００１１】
自動改札機は、受付装置から登録が通知された識別番号を識別番号記憶手段に記憶する。これにより、端末を操作して定期券の申込を行った利用者が所持する乗車券媒体の識別番号が、定期区間内の駅に設置されている自動改札機の識別番号記憶手段に記憶される。自動改札機は、識別番号読取手段により、利用者が所持する乗車券媒体から識別番号を読み取ると、この識別番号と一致する識別番号を乗車券媒体記憶手段に記憶していれば、この利用者を定期券利用者であると判定する。
【００１２】
このように、自動改札機は、設置されている駅において、定期券が利用できる定期券利用者が所持する乗車券媒体の識別番号を記憶するだけでよいので、すなわち定期区間や定期期間を記憶しなくてもよいので、多大なメモリを必要とせず、本体のコストアップが抑えられる。また、利用者が所持する乗車券媒体に対して、この利用者から申し込まれた定期券情報を記録することもないので、改札通路における利用者の円滑な通行を阻害することもない。
【００１３】
なお、受付装置において、利用者から受け付けた定期券の申込要求にかかる乗車券の識別番号を、自動改札機の識別番号記憶手段に記憶させるタイミングについては、その定期期間の開始日に合わせればよい。
【００１４】
（２）前記受付装置は、前記定期券情報記憶手段が記憶する定期券情報毎に、乗車券媒体の識別番号の削除を、定期区間内の駅に設置されている前記自動改札機に通知する識別番号削除通知手段を備え、
前記自動改札機は、前記受付装置の前記識別番号削除通知手段により通知された乗車券媒体の識別番号を、前記識別番号記憶手段から削除する削除手段を備えている。
【００１５】
この構成では、受付装置は、定期券情報記憶手段に記憶している定期券情報毎に、乗車券媒体の識別番号の削除を、定期区間内の駅に設置されている自動改札機にのみ通知し、定期区間外の駅に設置されている自動改札機については通知しない。自動改札機は、受付装置から削除が通知された識別番号を識別番号記憶手段から削除する。自動改札機が識別番号記憶手段に記憶している識別番号を削除するタイミングについては、その識別番号に対応する定期期間の終了日に合わせればよい。
【００１６】
したがって、自動改札機が、定期期間が過ぎた乗車券を所持している利用者を、定期券利用者であると誤判定することもない。
【００１７】
（３）乗車券媒体を受け付け、この乗車券媒体から取得した乗車券情報を用いて、駅構内から出場する利用者の運賃を精算する精算手段を備えた精算機を有し、
前記自動改札機は、駅構内に入場する利用者に対して改札処理を行う場合、前記判定手段が定期券利用者であると判定した利用者が所持する乗車券媒体に、定期券による入場であることを示す入場情報を記録する入場情報記録手段と、
駅構内から出場する利用者に対して改札処理を行う場合、前記判定手段が定期券利用者でないと判定した利用者であって、且つこの利用者が所持する乗車券媒体に定期券による入場であることを示す入場情報が記録されていれば、前記精算機での運賃の精算を促す案内を出力する案内手段と、を備えている。
【００１８】
この構成では、自動改札機は、駅構内に入場する利用者を定期券利用者であると判定すると、入場情報記録手段が、この利用者が所持する乗車券媒体に定期券による入場であることを示す入場情報を記録する。また、自動改札機は、駅構内から出場する利用者が所持する乗車券媒体の識別番号を識別番号記憶手段に記憶しておらず、且つこの乗車券媒体に定期券による入場であることを示す入場情報が記録されていると、案内手段により、精算機での精算を促す。これにより、定期区間内の駅から、定期区間外の駅までの区間を利用した利用者に対して、適正な案内が行えるとともに、適正な運賃の精算が行える。したがって、利用者に対するサービスを低下させることもない。
【００１９】
（４）前記自動改札機の案内手段は、前記判定手段が定期券利用者であると判定した利用者であって、且つこの利用者が所持する乗車券媒体に定期券による入場であることを示す入場情報が記録されていなかった場合も、前記精算機での運賃の精算を促す案内を出力する手段である。
【００２０】
この構成では、上記（３）とは反対に、定期区間外の駅から、定期区間内の駅までの区間を利用した利用者に対して、適正な案内が行えるとともに、適正な運賃の精算が行える。
【００２１】
（５）前記精算機の精算手段は、受け付けた乗車券媒体の識別番号に該当する定期券情報を、前記受付装置から取得し、ここで取得した定期券情報を用いて、利用者の運賃を精算する手段である。
【００２２】
この構成では、精算機が、運賃を精算する利用者が所持する乗車券媒体の識別番号に該当する定期券情報を受付装置から取得し、ここで取得した定期券情報を用いて運賃の精算を行う。したがって、精算機における運賃の精算が適正に行える。
【００２３】
（６）前記乗車券媒体は、定期券として利用できる定期区間、および定期期間にかかる情報を記憶していない媒体である。
【００２４】
この構成では、利用者に対して乗車券媒体の発行が簡単に行えるとともに、乗車券媒体に必要な記憶容量を抑えることができ、乗車券媒体のコストダウンが図れる。
【発明の効果】
【００２５】
この発明によれば、利用者の利便性が確保できるとともに、改札通路における利用者の円滑な通行を阻害することがない。また、自動改札機においては、多大なメモリが必要にならず、本体のコストアップも生じない。
【００２６】
また、定期区間内の駅から、定期区間外の駅までの区間を利用した利用者や、反対に定期区間外の駅から、定期区間内の駅までの区間を利用した利用者に対して、適正な案内が行えるとともに、適正な運賃の精算が行える。したがって、利用者に対するサービスを低下させることもない。
【発明を実施するための最良の形態】
【００２７】
以下、この発明の実施形態である改札システムについて説明する。
【００２８】
図１は、この発明の実施形態である改札システムの構成を示す図である。この実施形態の改札システムは、利用者からの定期券の新規発行や更新にかかる申込要求を受け付ける受付装置１、各駅に設置されている自動改札機２（２ａ、２ｂ）や精算機３等の駅務機器を備えている。受付装置１は、センタに設置されており、インタネット５を介して送られてきた定期券の申込要求を受け付ける。利用者は、パソコンや携帯電話等の利用者端末６を用いて、定期券の申込要求を受付装置１に送信することができる。定期券の申込要求には、利用者が所持している乗車券媒体（以下、単に乗車券と言う。）の識別番号、定期区間、定期期間を示す情報が含まれている。定期券の申込要求に用いることができる乗車券は、過去、または現在において定期券として利用されたことがない乗車券であってもよいが、キップ等のように自動改札機２で回収される乗車券については用いることができない。受付装置１は、各駅に設置されている図示していない駅サーバに接続されている。自動改札機２や精算機３等の駅務機器は、この駅サーバと接続されている。自動改札機２には、駅構内に入場する利用者に対して改札処理を行う入場用自動改札機２ａと、駅構内から出場する利用者に対して改札処理を行う出場用自動改札機２ｂがある。精算機３は、駅構内から出場する利用者が運賃を精算するための機器である。駅務機器としては、上述の自動改札機２、精算機３以外にも、キップを発券する券売機、プリペイド金額を補充するチャージ機、駅係員が操作する係員端末等があるが、これらの機器については説明を省略する。
【００２９】
図２は、この実施形態にかかる受付装置の構成を示すブロック図である。受付装置１は、装置本体の動作を制御する制御部１１と、インタネット５を介して接続された利用者端末６との通信を制御する第１の通信部１２と、各駅に設置されている駅サーバ（不図示）との通信を制御する第２の通信部１３と、第１の通信部１２で受信した利用者からの定期券の申込要求に応じた定期券情報等を記憶する乗車券情報記憶部１４と、を備えている。乗車券情報記憶部１４は、図３に示すように、定期券、またはプリペイド券としてすでに発行された乗車券毎に、その識別番号、利用者の氏名、定期券情報、プリペイド残額、乗車履歴を対応づけた乗車券情報を記憶している。定期券情報には、定期区間、定期期間だけでなく、利用者による申込日時が含まれている。受付装置１は、第１の通信部１２で受信した利用者からの定期券の申込要求に応じた定期券情報を乗車券情報記憶部１４に記憶する。申込日時は、第１の通信部１２において、利用者からの定期券の申込要求を受信した日時である。第１の通信部１２が、この発明で言う申込要求受付手段に相当し、乗車券情報記憶部１４が、この発明で言う定期券情報記憶手段に相当する。
【００３０】
図４は、この実施形態にかかる自動改札機の構成を示すブロック図である。入場用自動改札機２ａと、出場用自動改札機２ｂとは、ハードウェアについては同じであり、制御部２１による本体の動作（制御部２１で実行されるプログラム）が異なるだけである。自動改札機２は、本体の動作を制御する制御部２１と、改札通路を通行する利用者が所持する乗車券に記録されている乗車券情報を読み取る読取部２２と、改札通路における利用者の位置を検知する利用者検知部２３と、利用者に対する案内表示を行う表示部２４と、改札通路に設けられた扉を開閉することにより、改札通路における利用者の通行を制限する扉開閉部２５と、図示していない駅サーバと通信する通信部２６と、受付装置２から通知された乗車券の識別番号を記憶する識別番号記憶部２７と、を備えている。読取部２２は、乗車券情報が磁気データで記録された磁気券から乗車券情報を読み取る構成であってもよいし、乗車券情報が電子データで記録された非接触媒体から乗車券情報を読み取る構成であってもよいし、これら２つの構成を備えていてもよい。乗車券として用いられる非接触媒体については周知であるので、ここではその詳細な説明を省略するが、乗車券情報として、識別番号、プリペイド残額、乗車履歴情報等を記憶するメモリや、自動改札機２と無線で通信する無線通信部を有している。利用者検知部２３は、改札通路に沿って設けられた複数のセンサを有し、各センサにおける利用者の有無の検知結果に基づいて、改札通路における利用者の位置を検知する構成である。表示部２４は、改札通路の中央よりも出口側に設けられた表示器における表示画面を制御する。扉開閉部２５は、改札通路の出口付近に設けられた扉を開することにより、改札通路における利用者の通行を許可し、反対にこの扉を閉することにより、改札通路における利用者の通行を禁止する。識別番号記憶部２７は、受付装置１から駅サーバを介して登録が通知された乗車券の識別番号を記憶し、また削除が通知された乗車券の識別番号を削除する。自動改札機１は、識別番号記憶部２７に記憶している識別番号の乗車券を所持する利用者を定期券利用者であると判定する。ここで言う定期券利用者とは、その駅が定期区間内の駅である定期券が与えられている利用者であって、利用区間が定期区間内である利用者という意味ではない。識別番号記憶部２７が、この発明で言う識別番号記憶手段に相当する。また、読取部２２が、この発明で言う識別番号読取手段に相当する。
【００３１】
図５は、この実施形態にかかる精算機の構成を示すブロック図である。精算機３は、本体の動作を制御する制御部３１と、利用者が所持する乗車券に記録されている乗車券情報を読み取る読取部３２と、利用者に対する案内表示を行う表示部３３と、図示していない駅サーバと通信する通信部３４と、精算時に利用者から貨幣の投入を受け付けるとともに、利用者に対して釣り銭を放出する貨幣処理部３５と、を備えている。読取部３２は、上述したように自動改札機２の読取部２２と同様に、乗車券情報が磁気データで記録された磁気券から乗車券情報を読み取る構成であってもよいし、乗車券情報が電子データで記録された非接触媒体から乗車券情報を読み取る構成であってもよいし、これら２つの構成を備えていてもよい。表示部３３は、利用者に対して運賃の精算金額等を表示する。精算機３は、通信部３４で駅サーバと通信することにより、任意の識別番号の乗車券についての定期券情報を受付装置１から取得することができる。具体的には、精算機３は、駅サーバに対して乗車券の識別番号を通知して、定期券情報の送信を要求する。この要求を受けた駅サーバが、受付装置１と通信し、通知された識別番号の乗車券についての定期券情報を受付装置１から取得し、これを精算機３に転送する構成である。
【００３２】
なお、自動改札機２、精算機３等の駅務機器は、各利用者に対する処理内容を駅サーバを介して受付装置１にアップロードする。受付装置１は、自動改札機２、精算機３等の駅務機器からアップロードされてきた情報に基づいて、乗車券情報記憶部１４に記憶している乗車券情報の更新（乗車履歴やプリペイド残額等の更新）等を行う。
【００３３】
次に、この実施形態の改札システムの動作について説明する。この実施形態では、図６に示す路線に適用した場合を例にして説明する。図６に示すＡ駅〜Ｌ駅の各駅に、上述した入場用自動改札機２ａ、出場用自動改札機２ｂ、精算機３が設置されている。Ｃ駅とＤ駅は、乗換駅である。
【００３４】
まず、受付装置１が、利用者からの定期券の申込要求を受け付ける処理について説明する。図７は、この実施形態にかかる受付装置の申込要求受付処理を示すフローチャートであり、図８は定期券の申込要求を行うときに、利用者が操作する利用者端末の動作示すフローチャートである。識別番号が記録された乗車券を所持していない利用者は、受付装置１に対して定期券の申込を行うことができない。受付装置１と、利用者端末６とは、インタネット５を介して通信する。利用者は、最初に、利用者端末６を操作して受付装置１に接続する（ｓ２１）。ｓ２１では、利用者は、インタネット５上で公開されている電鉄会社のホームページ等にアクセスする。受付装置１は、利用者端末６が接続されると（ｓ１）、この利用者端末６にメニュー画面を送信する（ｓ２）。利用者端末６は、受付装置１から送信されてきたメニュー画面を受信すると、このメニュー画面を表示する（ｓ２２、ｓ２３）。利用者端末６は、利用者により乗車券の識別番号が入力される待ち（ｓ２４）、入力された識別番号を受付装置１へ送信する（ｓ２５）。
【００３５】
なお、乗車券の識別番号は、乗車券の表面、または裏面に記載されている。したがって、利用者は、所持している乗車券を確認することで、乗車券の識別番号を入力することができる。
【００３６】
受付装置１は、利用者端末６から送信されてきた乗車券の識別番号を受信すると（ｓ３）、乗車券情報記憶部１４に記憶している乗車券情報を検索し、今回受信した乗車券の識別番号を記憶しているかどうかを判定する（ｓ４）。乗車券情報記憶部１４には、発行済の定期券や、プリペイド券の識別番号が記憶されている。したがって、ｓ４で、今回送信されてきた乗車券の識別番号が乗車券情報記憶部１４に記憶されていない識別番号であると判定されるのは、利用者が乗車券の識別番号を誤って入力したか、または適当に入力したかのどちらかである。受付装置１は、ｓ４で今回送信されてきた乗車券の識別番号が乗車券情報記憶部１４に記憶されていない識別番号であると判定すると、識別番号が誤っていることや、識別番号の再入力を利用者に促す再入力画面を利用者端末６に送信し（ｓ５）、ｓ３に戻る。利用者端末６は、受付装置１から送信されてきた再入力画面を受信すると（ｓ２６）、この再入力画面を表示し（ｓ２７）、ｓ２４に戻って、識別番号が再入力されるのを待つ。
【００３７】
また、受付装置１は、ｓ４で今回利用者端末６から受信した乗車券の識別番号を、乗車券情報記憶部１４に記憶していると判定すると、この識別番号に対応付けられていて、現時点において有効である定期券情報や、定期券の申込内容の入力を利用者に指示するための申込案内画面を送信する（ｓ６）。このとき、受付装置１は、今回受信した識別番号に対応付けられている、現時点で有効な定期券情報がなければ、有効な定期券情報が無い旨を示すメッセージを送信する。利用者端末６は、受付装置１から送信されてきた申込案内画面を受信すると（ｓ２８）、この申込案内画面を表示する（ｓ２９）。利用者端末６は、ｓ２９で申込案内画面を表示すると、利用者により定期区間、定期期間を含む申込内容が入力されるのを待ち（ｓ３０）、入力された申込内容に基づく申込要求を受付装置１へ送信する（ｓ３１）。上述したように、この申込案内画面には、現時点において有効な定期券情報が含まれているので、利用者はこの申込案内画面を見ることで、自分に与えられている現時点で有効な定期券の情報を確認することができる。したがって、利用者は、自分に与えられている現時点で有効な定期券の情報を確認しながら、定期券の申込内容を入力することができる。利用者端末６がｓ３１で受付装置１に送信する申込要求には、乗車券の識別番号、定期区間、定期期間が含まれている。
【００３８】
受付装置１は、利用者端末６から送信されてきた定期券の申込要求を受信すると（ｓ７）、今回の定期券の申込要求が適正であるかどうかを判定する（ｓ８）。ｓ８では、例えば現時点で有効な定期券と、今回申込要求された定期券の定期区間、および定期期間がダブっていないかどうか等を判断した判断結果から、利用者における入力ミスが生じていると推定されるときに、今回の定期券の申込要求を不適性であると判定する。言い換えれば、利用者における入力ミスが生じていると推定されるときに、適正であると判定する。受付装置１は、ｓ８で不適性であると推定すると、定期券の申込内容の再入力を促す案内画面を利用者端末６に送信し（ｓ９）、ｓ７に戻る。この、定期券の申込内容の再入力を促す案内画面には、ｓ８で不適性であると判定した理由を利用者に伝えるメッセージも含まれている。一方、受付装置１は、ｓ８で適正であると判定すると、今回の定期券の申込要求を受け付けるとともに、利用者端末６に対して受付完了画面を送信する受付処理を行う（ｓ１０）。受付装置１が、ｓ１０で利用者端末６に送信する受付完了画面には、今回受け付けた定期券の更新内容が含まれている。受付装置１は、ｓ１０で受付処理を行うと、今回受信した定期券の申込要求に応じた定期券情報を、乗車券情報記憶部１４に記憶されている対応する識別番号に対応付けて記憶する（ｓ１１）。
【００３９】
利用者端末６は、受付装置１から送信されてきた受付完了画面を受信すると（ｓ３４）、この受付完了画面を表示し（ｓ３５）、本処理を終了する。利用者は、この受付完了画面の表示により、受付装置１において定期券の申込要求が受付られたことを確認することができる。
【００４０】
なお、受付装置１は、第１の通信部１２において、利用者端末６と通信する。また、定期券が申し込まれた利用者に対する、該定期券の発行にかかる料金の決済については、利用者が料金を指定された口座に振込ようにしてもよいし、利用者から指定されたクレジットカードを利用したカード決済で行うようにしてもよい。
【００４１】
このように、利用者は、乗車券情報記憶部１４に識別番号が記憶されている乗車券を所持していれば、その乗車券の種類や状態に関係なく、利用者端末６における簡単な操作で、定期券の申込要求が行える。例えば、利用者は、所持している乗車券が定期期間の過ぎた定期券や、これまで定期券として利用したことがないプリペイド券であっても、利用者端末６を操作して、上述の定期券の申込要求を行うことができる。
【００４２】
なお、利用者は、定期券の申込要求を行っているとき、何らかの理由で今回の処理を中止したいときには、受付装置１との通信を切断することができる。また、受付装置１は、途中で切断された利用者端末６との処理については中止する。
【００４３】
次に、この実施形態の受付装置１における、登録／削除処理について説明する。この登録／削除処理は、毎日、鉄道の運行が終了してから、翌日の運行が開始されるまでの間に実行される。ここで言う翌日とは、次に鉄道の運行が開始される日を意味しており、受付装置１において実際にこの処理が実行されている日の翌日を意味しているわけではない。図９は、この登録／削除処理を示すフローチャートである。この実施形態の受付装置１は、まず乗車券情報記憶部１４を検索し、翌日が定期期間の開始日である定期券情報と、この定期券情報が対応付けられている識別番号と、を抽出する（ｓ４１）。ｓ４１では、乗車券情報記憶部１４に記憶している識別番号毎に、翌日が定期期間の開始日である定期券情報が対応付けられているかどうかを判定し、翌日が定期期間の開始日である定期券情報が対応付けられていれば、その定期券情報と識別番号とを抽出する処理を繰り返す。受付装置１は、ｓ４１で抽出した識別番号毎に、その識別番号の登録を通知する駅を設定する（ｓ４２）。ｓ４２では、ｓ４１で抽出した定期券情報から得られる定期区間内の全ての駅を、その識別番号の登録を通知する駅として設定する。言い換えれば、ｓ４２では、利用者が定期券利用者として、駅構内に入場したり、駅構内から出場することができる駅を、その識別番号の登録を通知する駅として設定している。例えば、図６に示すＢ駅〜Ｊ駅が定期区間である定期券情報であれば、Ｂ駅、Ｃ駅、Ｄ駅、およびＪ駅を識別番号の登録を通知する駅として設定する。受付装置１は、ｓ４１で抽出した全ての識別番号について、登録を通知する駅を設定すると、駅毎に登録を通知する識別番号を纏めた登録通知テーブルを作成する（ｓ４３）。
【００４４】
受付装置１は、ｓ４３にかかる処理を完了すると、乗車券情報記憶部１４を検索し、今日が定期期間の終了日である定期券情報と、この定期券情報が対応付けられている識別番号と、を抽出する（ｓ４４）。ｓ４４では、乗車券情報記憶部１４に記憶している識別番号毎に、今日が定期期間の終了日である定期券情報が対応付けられているかどうかを判定し、今日が定期期間の終了日である定期券情報が対応付けられていれば、その定期券情報と識別番号とを抽出する処理を繰り返す。受付装置１は、ｓ４４で抽出した識別番号毎に、その識別番号の削除を通知する駅を設定する（ｓ４５）。ｓ４５では、ｓ４４で抽出した定期券情報から得られる定期区間内の全ての駅を、その識別番号の削除を通知する駅として設定する。言い換えれば、ｓ４５では、利用者がこれまで定期券利用者として、駅構内に入場したり、駅構内から出場することができた駅を、その識別番号の削除を通知する駅として設定している。例えば、図６に示すＢ駅〜Ｊ駅が定期区間であり、その定期期間の終了日が今日である定期券情報であれば、Ｂ駅、Ｃ駅、Ｄ駅、およびＪ駅を識別番号の削除を通知する駅として設定する。受付装置１は、ｓ４５で抽出した全ての識別番号について、削除を通知する駅を設定すると、駅毎に削除を通知する識別番号を纏めた削除通知テーブルを作成する（ｓ４６）。
【００４５】
なお、上述の説明における今日とは、次に鉄道の運行が開始される日の前日を意味しており、実際にこの処理が実行されている日を意味しているわけではない。
【００４６】
受付装置１は、次に駅毎に、登録通知テーブルと、削除通知テーブルとを対比し、これら２つのテーブルに同じ識別番号があれば、この識別番号を、これら２つのテーブルから削除する（ｓ４７）。ｓ４７では、駅毎に、登録と削除がダブっている識別番号を削除している。例えば、定期期間を継続する申込を行った利用者、すなわち継続定期券の申込を行った利用者、について、その利用者が所持する乗車券の識別番号を、登録通知テーブル、および削除通知テーブルから削除している。受付装置１は、ｓ４７にかかる処理が完了すると、各駅に対して、その駅に対応する登録通知テーブル、および削除通知テーブルを送信する（ｓ４８）。ｓ４８では、第２の通信部１３から、登録通知テーブル、および削除通知テーブルを各駅の駅サーバに送信している。
【００４７】
駅サーバは、受付装置１から送信されてきた登録通知テーブル、および削除通知テーブルを、接続されている入場用自動改札機２ａ、および出場用自動改札機２ｂに転送する。入場用自動改札機２ａ、および出場用自動改札機２ｂは、駅サーバから転送されてきた登録通知テーブルに登録されている識別番号を識別番号記憶部２７に記憶するとともに、削除通知テーブルに登録されている識別番号を識別番号記憶部２７から削除する。
【００４８】
これにより、入場用自動改札機２ａ、および出場用自動改札機２ｂは、設置されている駅が定期区間内であって、且つ定期期間内である利用者が所持している乗車券の識別番号を識別番号記憶部２７に記憶する。言い換えれば、定期券の申込要求があった利用者については、乗車券の識別番号が、その定期期間の開始日に応じて、定期区間の駅に設置されている入場用自動改札機２ａ、および出場用自動改札機２ｂの識別番号記憶部２７に記憶され、その定期期間の終了日に応じて、定期区間の駅に設置されている入場用自動改札機２ａ、および出場用自動改札機２ｂの識別番号記憶部２７から削除される。また、上述したｓ４７にかかる処理を設けているので、受付装置１から各駅に通知する登録する識別番号、および削除する識別番号の通知が効率的に行える。
【００４９】
なお、自動改札機２の識別番号記憶部２７は、乗車券の識別番号については記憶するが、その識別番号に対応する定期区間や定期期間にかかる情報については記憶しない。
【００５０】
次に、入場用自動改札機２ａにおける利用者の入場処理について説明する。図１０は、この実施形態にかかる入場用自動改札機の入場処理を示すフローチャートである。入場用自動改札機２ａは、乗車券を受け付けると、読取部２２において利用者が所持する乗車券から識別番号を含む乗車券情報を読み取る（ｓ５１、ｓ５２）。入場用自動改札機２ａは、ｓ５２で読み取った識別番号を識別番号記憶部２７に記憶しているかどうかを判定する（ｓ５３）。ｓ５３では、この利用者を、定期券利用者として駅構内に入場させてもよい利用者であるかどうか、すなわち定期券利用者であるかどうか、を判定している。ここで言う、定期券利用者とは、この入場用自動改札機２ａが設置されている駅が、定期区間内である有効な定期券が与えられている利用者を意味している。
【００５１】
入場用自動改札機２ａは、ｓ５３で定期券利用者であると判定すると、定期券利用者であること、およびこの利用者の入場駅（入場用自動改札機２ａの設置駅）、入場時刻等を入場情報として乗車券に記録し（ｓ５４）、改札通路に設けられている扉を開して利用者の通行（駅構内への入場）を許可する（ｓ５５）。一方、ｓ５３で定期券利用者でないと判定すると、プリペイド残額があるかどうかを判定する（ｓ５６）。ｓ５６で、プリペイド残額があると判定すると、定期券利用者でないこと、およびこの利用者の入場駅（入場用自動改札機２ａの設置駅）、入場時刻等を入場情報として乗車券に記録し（ｓ５７）、ｓ５５で改札通路に設けられている扉を開して利用者の通行（駅構内への入場）を許可する。また、入場用自動改札機２ａは、ｓ５６でプリペイド残額が所定の金額未満であると判定すると、改札通路に設けられている扉を閉し（ｓ５８）、利用者に対する駅構内への入場を禁止する。
【００５２】
このように、入場用自動改札機２ａは、利用者が所持している乗車券の識別番号を、識別番号記憶部２７に記憶していれば、定期券利用者と判定し、記憶していなければ定期券利用者でないと判定する構成としたので、改札通路における利用者の通行を阻害することがなく、改札処理が速やかに行える。したがって、改札口周辺が混雑するという事態の発生が十分に抑えられる。
【００５３】
なお、入場用自動改札機２ａは、特に説明しなかったが、改札通路における利用者の通行可否を判定するときに、前回出場処理が行われた乗車券であるかどうかを判定し、アンチパスバックによる不正な利用者に対して改札通路の通行を禁止する機能も有している。
【００５４】
次に、出場用自動改札機２ｂにおける利用者の出場処理について説明する。図１１は、この実施形態にかかる出場用自動改札機の出場処理を示すフローチャートである。出場用自動改札機２ｂは、乗車券を受け付けると、読取部２２において利用者が所持する乗車券から識別番号を含む乗車券情報を読み取る（ｓ６１、ｓ６２）。ｓ６２では、利用者が所持する乗車券から、前回の入場時に記録された入場情報についても、乗車券情報として読み取っている。出場用自動改札機２ｂは、ｓ６２で読み取った乗車券情報から、入場駅において、定期券利用者として入場しているかどうかを判定する（ｓ６３）。出場用自動改札機２ｂは、ｓ６３で定期券利用者として入場していると判定すると、ｓ６２で読み取った識別番号が識別番号記憶部２７に記憶しているかどうかを判定する（ｓ６４）。ｓ６４では、この利用者が定期券利用者として、駅構内から出場させてもよい利用者であるかどうか、すなわち定期券利用者であるかどうか、を判定している。出場用自動改札機２ｂは、ｓ６４で定期券利用者であると判定すると、すなわち定期区間内の駅で入場し、定期区間内の駅で出場する利用者であると判定すると、乗車券に出場情報を記録し（ｓ６５）、改札通路に設けられている扉を開する（ｓ６６）。これにより、利用者は改札通路を通って、駅構内から出場することができる。
【００５５】
一方、ｓ６４で定期券利用者でないと判定すると、精算機３で運賃の精算を行うように案内する案内画面を表示部３３に表示するとともに、改札通路の扉を閉する（ｓ６８、ｓ６９）。ｓ６４で定期券利用者でないと判定される利用者は、入場した駅が定期区間内の駅であり、且つ出場する駅が定期区間外の駅であった利用者である。このように、出場用自動改札機２ｂは、乗車区間が定期区間内の駅から定期区間外の駅である利用者に対して、改札通路の通行を禁止し、精算機３での運賃の精算を案内することができる。
【００５６】
また、出場用自動改札機２ｂは、ｓ６３で定期券利用者として入場していないと判定すると、ｓ６２で読み取った識別番号を識別番号記憶部２７に記憶しているかどうか、すなわち定期券利用者であるかどうか、を判定する（ｓ６７）。このｓ６７にかかる処理は、上述したｓ６４と同じ処理である。出場用自動改札機２ｂは、ｓ６７で定期券利用者であると判定すると、上述したｓ６８、６９にかかる処理を行う。ｓ６７で定期券利用者であると判定される利用者は、入場した駅が定期区間外の駅であり、且つ出場する駅が定期区間内の駅であった利用者である。このように、出場用自動改札機２ｂは、乗車区間が定期区間外の駅から定期区間内の駅である利用者に対しても、改札通路の通行を禁止し、精算機３での運賃の精算を案内することができる。
【００５７】
さらに、出場用自動改札機２ｂは、ｓ６７で定期券利用者でないと判定すると、すなわち入場駅および出場駅がともに定期区間外の駅である利用者であると判定すると、プリペイド残高で精算が可能であるかどうかを判定する（ｓ７０）。出場用自動改札機２ｂは、ｓ７０でプリペイド残高で精算が可能であると判定すると、運賃の精算にかかる精算処理を行い（ｓ７１）、その後上述したｓ６５、ｓ６６にかかる処理を行う。一方、ｓ７０で運賃が精算できないと判定すると、上述したｓ６８、ｓ６９にかかる処理を行う。これにより、プリペイド券を利用した利用者についても、プリペイド残高が運賃（精算金額）以上であれば、運賃の精算を行って、改札通路を通行させることができる。また、プリペイド残高が運賃未満であった利用者については、適正に精算機３での運賃の精算を案内することができる。
【００５８】
なお、出場用自動改札機２ｂも、入場用自動改札機２ａと同様に、改札通路における利用者の通行可否を判定するときに、前回入場処理が行われた乗車券であるかどうかを判定し、アンチパスバックによる不正な利用者に対して改札通路の通行を禁止する機能を有している。
【００５９】
なお、上述した説明から明らかなように、入場駅および、出場駅がともに定期区間外の駅である利用者については、プリペイドによる運賃の精算を行うことから、利用区間内に定期区間が含まれている場合もある。このような利用者は、ごく稀であり、また定期券の利用と、組み合わせたほうが運賃がやすくなる場合もあれば、高くなる場合もある。したがって、利用者が定期券を利用して運賃を精算する場合には、精算機３で予め精算し、定期券を利用しないで運賃を精算する場合には、出場用自動改札機２ｂで運賃を精算すればよい。
【００６０】
次に、精算機３の動作について説明する。図１２は、この実施形態にかかる精算機の動作を示すフローチャートである。精算機３は、乗車券を受け付けると（ｓ８１）、この乗車券から識別番号を含む乗車券情報を読み取る（ｓ８２）。ｓ８２では、利用者が所持する乗車券から、入場時に記録された入場情報についても、乗車券情報として読み取っている。精算機３は、ｓ８２で読み取った識別番号に対応付けられている、定期期間内の定期券情報の送信要求する（ｓ８３）。この送信要求は、駅サーバを介して受付装置１に送信される。受付装置１は、精算機３から要求された識別番号について、定期期間内の定期券情報を読み出し、精算機３へ返信する。精算機３は、受付装置１から返信されてきた定期券情報を受信すると（ｓ８４）、この定期券情報、利用者の入場駅（ｓ８２で読み取った入場情報から取得できる。）、および出場駅（精算機３が設置されている駅）に基づいて、当該利用者の精算金額を算出する（ｓ８５）。このように、精算機３は、定期期間内の定期券がある利用者については、その定期券を用いて精算金額を算出する。
【００６１】
精算機３は、ｓ８５で算出した精算金額に基づく精算処理を行い（ｓ８６）、乗車券に対して出場情報を記録するとともに、精算券を発行する（ｓ８７、ｓ８８）。ｓ８６では、プリペイド残高や、利用者が投入した貨幣により、運賃を精算する。利用者は、ｓ８８で発行された精算券を出場用自動改札機２ｂに投入することにより、改札通路を通って、駅構内から出場することができる。
【００６２】
このように、この実施形態の改札システムでは、利用者は、識別番号が記録されている乗車券を所持していれば、その乗車券を定期券として利用することができる。また、定期券として利用する際の申込が、パソコンや携帯電話等を利用して簡単に行える。
【００６３】
また、自動改札機２は、設置されている駅において、定期券が利用できる定期券利用者が所持する乗車券の識別番号を記憶するだけでよいので、すなわち定期区間や定期期間を記憶しなくてもよいので、多大なメモリを必要とせず、本体のコストアップが抑えられる。また、利用者が所持する乗車券に対して、この利用者から申し込まれた定期券情報を記録しないので、改札通路における利用者の円滑な通行を阻害することもない。
【００６４】
また、定期区間内の駅で入場し、定期区間外の駅で出場する利用者や、反対に定期区間外の駅で入場し、定期区間内の駅で出場する利用者については、精算機３での運賃の精算を案内するので、利用者に対するサービスも十分に確保できる。また、案内装置１が、必要に応じて精算機３へ有効な定期券情報を送信するので、精算機３における運賃の精算が適正に行える。
【００６５】
また、上記実施形態では、受付装置１が図９に示した登録／削除処理を行うことで、定期券の申込要求があった利用者について、乗車券の識別番号を、その定期期間の開始日に応じて、定期区間の駅に設置されている入場用自動改札機２ａ、および出場用自動改札機２ｂの識別番号記憶部２７に記憶させるとともに、その定期期間の終了日に応じて、定期区間の駅に設置されている入場用自動改札機２ａ、および出場用自動改札機２ｂの識別番号記憶部２７から削除させる場合を例にしたが、以下のようにしてもよい。
【００６６】
受付装置１が、利用者から受け付けた定期券の申込要求にかかる、識別番号、定期期間の開始日、定期期間の終了日を対応付けた情報を、定期区間内の駅に設置されている入場用自動改札機２ａ、および出場用自動改札機２ｂに通知する。受付装置１は、この通知を利用者からの定期券の申込要求を受け付けたときに行ってもよいし、予め定められた時刻におこなってもよい。入場用自動改札機２ａ、および出場用自動改札機２ｂは、受付装置１から通知された、識別番号、定期期間の開始日、定期期間の終了日を対応付けた情報を、上記の実施形態における識別番号記憶２７とは、別に設けた記憶部（不図示）に記憶する。そして、入場用自動改札機２ａ、および出場用自動改札機２ｂが、この記憶部に記憶している情報に基づいて、翌日が定期期間の開始日である識別番号を識別番号記憶部２７に記憶するとともに、今日が定期期間の終了日である識別番号を識別番号記憶部２７から削除する処理を行う。これにより、上記の実施形態と同様に、定期券の申込要求があった利用者について、乗車券の識別番号を、その定期期間の開始日に応じて、定期区間の駅に設置されている入場用自動改札機２ａ、および出場用自動改札機２ｂの識別番号記憶部２７に記憶させるとともに、その定期期間の終了日に応じて、定期区間の駅に設置されている入場用自動改札機２ａ、および出場用自動改札機２ｂの識別番号記憶部２７から削除させることができる。
【００６７】
また、図示していない駅サーバが、受付装置１から送信されてきた、利用者から受け付けた定期券の申込要求にかかる、識別番号、定期期間開始日、定期期間終了日を対応付けた情報を記憶し、この記憶している情報に基づいて、入場用自動改札機２ａ、および出場用自動改札機２ｂに対して、翌日が定期期間の開始日である識別番号を識別番号記憶部２７に記憶させるとともに、今日が定期期間の終了日である識別番号を識別番号記憶部２７から削除させる処理を行うようにしてもよい。
【図面の簡単な説明】
【００６８】
【図１】この発明の実施形態である改札システムの構成を示す図である。
【図２】この実施形態にかかる受付装置の構成を示すブロックズである。
【図３】この実施形態にかかる受付装置が記憶する乗車券情報を示す図である。
【図４】この実施形態にかかる自動改札機の構成を示すブロック図である。
【図５】この実施形態にかかる精算機の構成を示すブロック図である。
【図６】路線図を示す図である。
【図７】この実施形態にかかる受付装置の申込要求受付処理を示すフローチャートである。
【図８】この実施形態にかかる利用者端末の処理を示すフローチャートである。
【図９】この実施形態にかかる受付装置の登録／削除処理を示すフローチャートである。
【図１０】この実施形態にかかる入場用自動改札機の入場処理を示すフローチャートである。
【図１１】この実施形態にかかる出場用自動改札機の出場処理を示すフローチャートである。
【図１２】この実施形態にかかる精算機の動作を示すフローチャートである
【符号の説明】
【００６９】
１−受付装置
２−自動改札機
３−精算機
５−インタネット
６−利用者端末
１１−制御部
１２−第１の通信部
１３−第２の通信部
１４−乗車券情報記憶部
２１−制御部
２２−読取部
２３−利用者検知部
２４−表示部
２５−扉開閉部
２６−通信部
２７−識別番号記憶部
３１−制御部
３２−読取部
３３−表示部
３４−通信部
３５−貨幣処理部
【図１】
2007179448.tif 000003
【図２】
2007179448.tif 000004
【図３】
2007179448.tif 000005
【図４】
2007179448.tif 000006
【図５】
2007179448.tif 000007
【図６】
2007179448.tif 000008
【図７】
2007179448.tif 000009
【図８】
2007179448.tif 000010
【図９】
2007179448.tif 000011
【図１０】
2007179448.tif 000012
【図１１】
2007179448.tif 000013
【図１２】
2007179448.tif 000014